(57)【要約】【課題】電気接続箱に電線群を固定する作業を容易にすることができる電気接続箱の電線固定用治具を提供する。【解決手段】電線固定用治具１は、電気接続箱１００の保持部１１２を載置する載置面３と、保持部１１２が載置面３上の所定位置に載置されたときの保持部１１２の延在方向と直交する幅方向に沿って、載置面３に掘り下げて設けられた溝部４と、を備える。溝部４は、載置面３上の所定位置に保持部１１２の外周面１１２ｂが載置面３と当接するよう載置された状態で、保持部１１２の外周面１１２ｂとの組み合わせによって、結束バンド１０を幅方向の一方側から進入して他方側に進出させる誘導通路６を構成するよう形成される。【選択図】図９
2015233354.tif 000002
【特許請求の範囲】
【請求項１】
内部に電子部品を収容する筐体と、前記電子部品に接続される電線群を挿通する挿通口と、前記挿通口の外側端部から前記挿通口の内周形状の一部に沿って延在して設けられる板状の保持部と、を備える電気接続箱において、前記電線群が前記挿通口に挿通されて前記保持部の内周面と当接した状態で、線状部材を前記保持部及び前記電線群の外周に巻回して、前記電線群を前記電気接続箱に固定するための電線固定用治具であって、
前記電気接続箱の前記保持部を載置する載置面と、
前記保持部が前記載置面上の所定位置に載置されたときの前記保持部の延在方向と直交する幅方向に沿って、前記載置面に掘り下げて設けられた溝部と、
を備え、
前記溝部は、前記載置面上の前記所定位置に前記保持部の外周面が前記載置面と当接するよう載置された状態で、前記保持部の前記外周面との組み合わせによって、前記線状部材を前記幅方向の一方側から進入して他方側に進出させる誘導通路を構成するよう形成される
ことを特徴とする電気接続箱の電線固定用治具。
【請求項２】
前記溝部の底面は、前記延在方向から視たときに、前記保持部が位置する側と反対側に凹んで形成され、前記誘導通路の進出側として機能する側の進出側端部において、前記底面の接線方向が前記線状部材の所望の進出方向と同様の方向となるよう形成される
ことを特徴とする、請求項１に記載の電気接続箱の電線固定用治具。
【請求項３】
前記電気接続箱の前記保持部が、前記延在方向から視たときに半円弧状に形成され、
前記保持部の前記内周面において、周方向の一方側端部から、前記誘導通路の延在方向に沿った途中位置まで延在する誘導溝が、前記保持部の前記外周面側に突出して設けられており、
前記誘導溝の前記途中位置の端面には、前記延在方向から視たときに前記保持部の前記外周面の接線方向に沿って貫通する貫通孔が設けられており、前記溝部の底面は、前記延在方向から視たときに、前記保持部の形状に沿った曲面で形成され、
前記溝部の前記底面に掘り下げて設けられ、前記載置面上の前記所定位置に前記電気接続箱の前記保持部が載置された状態で、前記保持部の前記誘導溝の外周側突出部を嵌合する切り欠き部を備える
ことを特徴とする、請求項１または２に記載の電気接続箱の電線固定用治具。
【請求項４】
前記溝部の前記底面は、前記延在方向から視たときに、前記誘導通路の進出側として機能する側の進出側端部における前記底面の接線方向が、前記誘導通路の進入側として機能する側の進入側端部における前記底面の接線方向と同方向となり、前記進出側端部における前記線状部材の進行方向が、前記進入側端部における前記線状部材の進行方向の反対方向となるよう形成され、
前記溝部の前記幅方向の全長が、前記電線群の直径と、前記保持部の板厚の２倍長と、前記線状部材の厚さの２倍長と、を合計した長さより大きくなるように、前記溝部が形成される
ことを特徴とする、請求項１〜３のいずれか１項に記載の電気接続箱の電線固定用治具。
【請求項５】
請求項１〜４のいずれか１項に記載の電気接続箱の電線固定用治具を用いた電線固定方法であって、
前記電線固定用治具の前記載置面上の所定位置に前記電気接続箱の前記保持部を載置し、前記電気接続箱の前記挿通口に挿通された前記電線群を前記保持部の前記内周面側に載置して、前記電線固定用治具の前記溝部と、前記保持部の前記外周面との組み合わせによって、前記溝部の前記幅方向の一方側に進入口を有し、前記溝部の前記幅方向の他方側に進出口を有する前記誘導通路を形成する誘導通路形成ステップと、
前記誘導通路形成ステップで形成された前記誘導通路の前記進入口から線状部材を挿入する挿入ステップと、
前記挿入ステップにて前記進入口に挿入された前記線状部材の先端を、前記誘導通路内に進行させて、前記進出口から進出させる進出ステップと、
前記進出ステップにて前記進出口から進出された前記線状部材の先端部を、前記線状部材の基端側と共に前記電線群の外周に巻回して結束することで、前記電線群を前記電気接続箱の前記保持部に固定する固定ステップと、
を含むことを特徴とする電線固定方法。
【発明の詳細な説明】
【技術分野】
【０００１】
本発明は、電気接続箱の電線固定用治具、及び、電線固定方法に関する。
【背景技術】
【０００２】
従来、車両等に搭載され、種々の電子部品モジュールを収容する電気接続箱において、箱本体の内部から挿通口を介して引き出される電線群を挿通口に固定する構成が知られている。例えば特許文献１には、通し部（挿通口）を介して外部に引き出されたハーネス（電線群）を半円弧状の第１部材及び第２部材で挟持し、その外周に結束バンド（線状部材）を巻きつけて結束することで、ハーネスを箱本体に組み付ける構成が開示されている。
【先行技術文献】
【特許文献】
【０００３】
【特許文献１】特開２０１０−２７９１９１号公報
【発明の概要】
【発明が解決しようとする課題】
【０００４】
しかしながら、特許文献１に記載されるような線状部材を電線群に巻回して固定する構成では、例えば電線群の周囲に充分なスペースが無い場合など、線状部材を電線群の外周に沿って巻回させる作業を行うのに手間がかかる状況が考えられる。
【０００５】
本発明は、上記に鑑みてなされたものであって、電気接続箱に電線群を固定する作業を容易にすることができる電気接続箱の電線固定用治具、及び電線固定方法を提供することを目的とする。
【課題を解決するための手段】
【０００６】
上記の課題を解決するため、本発明に係る電気接続箱の電線固定用治具は、内部に電子部品を収容する筐体と、前記電子部品に接続される電線群を挿通する挿通口と、前記挿通口の外側端部から前記挿通口の内周形状の一部に沿って延在して設けられる板状の保持部と、を備える電気接続箱において、前記電線群が前記挿通口に挿通されて前記保持部の内周面と当接した状態で、線状部材を前記保持部及び前記電線群の外周に巻回して、前記電線群を前記電気接続箱に固定するための電線固定用治具であって、前記電気接続箱の前記保持部を載置する載置面と、前記保持部が前記載置面上の所定位置に載置されたときの前記保持部の延在方向と直交する幅方向に沿って、前記載置面に掘り下げて設けられた溝部と、を備え、前記溝部は、前記載置面上の前記所定位置に前記保持部の外周面が前記載置面と当接するよう載置された状態で、前記保持部の前記外周面との組み合わせによって、前記線状部材を前記幅方向の一方側から進入して他方側に進出させる誘導通路を構成するよう形成されることを特徴とする。
【０００７】
また、上記の電気接続箱の電線固定用治具において、前記溝部の底面は、前記延在方向から視たときに、前記保持部が位置する側と反対側に凹んで形成され、前記誘導通路の進出側として機能する側の進出側端部において、前記底面の接線方向が前記線状部材の所望の進出方向と同様の方向となるよう形成されることが好ましい。
【０００８】
また、上記の電気接続箱の電線固定用治具において、前記電気接続箱の前記保持部が、前記延在方向から視たときに半円弧状に形成され、前記保持部の前記内周面において、周方向の一方側端部から、前記誘導通路の延在方向に沿った途中位置まで延在する誘導溝が、前記保持部の前記外周面側に突出して設けられており、前記誘導溝の前記途中位置の端面には、前記延在方向から視たときに前記保持部の前記外周面の接線方向に沿って貫通する貫通孔が設けられており、前記溝部の底面は、前記延在方向から視たときに、前記保持部の形状に沿った曲面で形成され、前記溝部の前記底面に掘り下げて設けられ、前記載置面上の前記所定位置に前記電気接続箱の前記保持部が載置された状態で、前記保持部の前記誘導溝の外周側突出部を嵌合する切り欠き部を備えることが好ましい。
【０００９】
また、上記の電気接続箱の電線固定用治具において、前記溝部の前記底面は、前記延在方向から視たときに、前記誘導通路の進出側として機能する側の進出側端部における前記底面の接線方向が、前記誘導通路の進入側として機能する側の進入側端部における前記底面の接線方向と同方向となり、前記進出側端部における前記線状部材の進行方向が、前記進入側端部における前記線状部材の進行方向の反対方向となるよう形成され、前記溝部の前記幅方向の全長が、前記電線群の直径と、前記保持部の板厚の２倍長と、前記線状部材の厚さの２倍長と、を合計した長さより大きくなるように、前記溝部が形成されることが好ましい。
【００１０】
同様に、上記の課題を解決するため、本発明に係る電線固定方法は、上記の電気接続箱の電線固定用治具を用いた電線固定方法であって、前記電線固定用治具の前記載置面上の所定位置に前記電気接続箱の前記保持部を載置し、前記電気接続箱の前記挿通口に挿通された前記電線群を前記保持部の前記内周面側に載置して、前記電線固定用治具の前記溝部と、前記保持部の前記外周面との組み合わせによって、前記溝部の前記幅方向の一方側に進入口を有し、前記溝部の前記幅方向の他方側に進出口を有する前記誘導通路を形成する誘導通路形成ステップと、前記誘導通路形成ステップで形成された前記誘導通路の前記進入口から線状部材を挿入する挿入ステップと、前記挿入ステップにて前記進入口に挿入された前記線状部材の先端を、前記誘導通路内に進行させて、前記進出口から進出させる進出ステップと、前記進出ステップにて前記進出口から進出された前記線状部材の先端部を、前記線状部材の基端側と共に前記電線群の外周に巻回して結束することで、前記電線群を前記電気接続箱の前記保持部に固定する固定ステップと、を含むことを特徴とする。
【発明の効果】
【００１１】
本発明によれば、載置面上の所定位置に電気接続箱の保持部を載置すれば、電気接続箱の保持部の外周面と電線固定用治具の溝部との組み合わせにより形成される誘導通路を用いて、線状部材を所望の巻回方向に容易に誘導させることが可能となり、また、線状部材を所望の方向に進出させることも可能となるので、電気接続箱に電線群を固定する作業を容易にすることができるという効果を奏する。
【図面の簡単な説明】
【００１２】
【図１】図１は、電気接続箱の概略構成を示す斜視図である。
【図２】図２は、図１中の第１挿通口に設けられる保持部を拡大視した斜視図である。
【図３】図３は、図２に示す保持部を鉛直方向下方から視た斜視図である。
【図４】図４は、本実施形態に係る電気接続箱の電線固定用治具に電気接続箱の保持部を載置した状態を、第１挿通孔の貫通方向から視たときの図である。
【図５】図５は、図４のＸ１矢視図である。
【図６】図６は、図４，５に示す本実施形態に係る電気接続箱の電線固定用治具の概略構成を示す斜視図である。
【図７】図７は、本実施形態に係る電線固定用治具に電気接続箱及び電線群を載置した状態を示す模式図であり、かつ、本実施形態に係る電線固定用治具を用いた第１電線群の保持部への固定作業の第一段階を示す模式図である。
【図８】図８は、本実施形態に係る電線固定用治具を用いた第１電線群の保持部への固定作業の第二段階を示す模式図である。
【図９】図９は、本実施形態に係る電線固定用治具を用いた第１電線群の保持部への固定作業の第三段階を示す模式図である。
【図１０】図１０は、本実施形態に係る電線固定用治具を用いた第１電線群の保持部への固定作業の第四段階を示す模式図である。
【図１１】図１１は、電線固定用治具の溝部の形状の第一変形例を示す図である。
【図１２】図１２は、電線固定用治具の溝部の形状の第二変形例を示す図である。
【発明を実施するための形態】
【００１３】
以下に、本発明に係る電気接続箱の電線固定用治具、及びこの電線固定用治具を用いた電線固定方法の実施形態を図面に基づいて説明する。なお、以下の図面において、同一または相当する部分には同一の参照番号を付し、その説明は繰り返さない。
【００１４】
［実施形態］
まず図１〜３を参照して、本発明の一実施形態に係る電線固定用治具が適用される電気接続箱の構成について説明する。図１は、電気接続箱の概略構成を示す斜視図である。図２は、図１中の第１挿通口に設けられる保持部を拡大視した斜視図である。図３は、図２に示す保持部を鉛直方向下方から視た斜視図である。なお、図１では、電気接続箱のアッパカバーを二点鎖線で図示している。
【００１５】
図１に示す電気接続箱１００は、自動車等の車両に搭載され、ワイヤハーネス・電線等の接続処理用部品を構成するコネクタ、ヒューズ、リレー、分岐部、電子制御ユニット等の電装品を集約して内部に収容するものである。電気接続箱１００は、例えば、車両のエンジンルームや車体の下方部分に設置され、バッテリ等の電源と、車両内に搭載される各種電子機器との間に接続されている。電気接続箱１００は、電源から供給された電力を車両内の各種電子機器に分配する。なお、電気接続箱１００は、ジャンクションボックス、ヒューズボックス、リレーボックスなどとも呼ばれる場合があるが、本実施形態ではこれらを総称して電気接続箱と呼ぶ。
【００１６】
電気接続箱１００は、筐体１０１の内部の収容空間部に、種々の電子部品１０２が収容される。筐体１０１は、例えば、フレーム１０３、アッパカバー１０４、及び、ロアカバー１０５等を含んで構成される。筐体１０１は、フレーム１０３、アッパカバー１０４、及び、ロアカバー１０５が分割された３層分割構造となっている。フレーム１０３、アッパカバー１０４、及び、ロアカバー１０５は、絶縁性の合成樹脂によって形成される。フレーム１０３は、電子部品１０２が組み付けられる収容空間部を形成する主たる部材である。フレーム１０３は、略ロの字型の筒状に形成され、この電気接続箱１００がエンジンルーム等に接続された状態で、鉛直方向上側、及び、鉛直方向下側に開口が位置する。アッパカバー１０４は、フレーム１０３の鉛直方向上側の開口を塞ぐ蓋状の部材である。ロアカバー１０５は、フレーム１０３の鉛直方向下側の開口を塞ぐ皿状（トレイ状）の部材である。筐体１０１は、フレーム１０３の鉛直方向上側の開口とアッパカバー１０４の開口とが対向し、フレーム１０３の鉛直方向下側の開口とロアカバー１０５の開口とが対向するようにして、アッパカバー１０４がフレーム１０３の鉛直方向上側に組み付けられ、ロアカバー１０５がフレーム１０３の鉛直方向下側に組み付けられる。筐体１０１は、フレーム１０３に対して、種々の形式の係止機構１０６を介して、アッパカバー１０４、ロアカバー１０５が係止される。なお、フレーム１０３とアッパカバー１０４とロアカバー１０５とが積層される方向は、典型的には、この電気接続箱１００がエンジンルーム等に接続された状態で、鉛直方向に沿っているが、当該電気接続箱１００の設置状況によっては当該積層される方向が鉛直方向に対して所定の角度を有して設置される場合もある。
【００１７】
そして、この筐体１０１の内部の収容空間部に組み付けられる種々の電子部品１０２としては、上述したように、コネクタ、ヒューズ、リレー、分岐部、電子制御ユニット等の電装品が含まれる。電気接続箱１００は、フレーム１０３に一体的に形成される種々の形状の区画壁１０７、フレーム１０３に着脱可能に組み付けられる種々の形状のブロック１０８等によって形成される多数のキャビティ内に、上記種々の電子部品１０２が組み付けられる。この場合、区画壁１０７、ブロック１０８等もフレーム１０３等と同様に絶縁性の合成樹脂によって形成される。そして、電気接続箱１００は、種々の電子部品１０２が組み付けられたキャビティに対して、挿通口１０９等を介して配索される電線１１０の端子等が鉛直方向下側から嵌合し電気的に接続される。
【００１８】
筐体１０１は、複数の挿通口１０９を有している。具体的には、筐体１０１は、図１に示すように、挿通口１０９として、少なくとも第１挿通口１０９Ａ、第２挿通口１０９Ｂ、及び、第３挿通口１０９Ｃを有しており、複数の電線群１１１がこれらを介して筐体１０１内から外部に導出されている。第１挿通口１０９Ａは、電線群１１１として、複数の電線１１０からなる第１電線群１１１Ａが挿通される。第２挿通口１０９Ｂは、第１電線群１１１Ａとは異なる複数の電線１１０からなる第２電線群１１１Ｂが挿通される。第３挿通口１０９Ｃは、第１電線群１１１Ａ、及び、第２電線群１１１Ｂとは異なる複数の電線１１０からなる第３電線群１１１Ｃが挿通される。第１挿通口１０９Ａと第２挿通口１０９Ｂと第３挿通口１０９Ｃとは、所定の方向に対して間隔をあけて配置される。ここでは、上記所定の方向は、例えば筐体１０１の長辺方向であり、第１挿通口１０９Ａと第２挿通口１０９Ｂと第３挿通口１０９Ｃとは、筐体１０１の長辺方向に対して間隔をあけて配置される。本実施形態の第１挿通口１０９Ａは、筐体１０１の短辺方向側の側面に形成され、第２挿通口１０９Ｂと第３挿通口１０９Ｃとは、筐体１０１の長辺側の側面であって同じ側の側面に形成される。筐体１０１は、長辺方向に対して一方側から第１挿通口１０９Ａ、第２挿通口１０９Ｂ、第３挿通口１０９Ｃの順で間隔をあけて配置されている。筐体１０１の内部から第１挿通口１０９Ａを介して導出される第１電線群１１１Ａは、例えば、車両前方側に配索される。筐体１０１の内部から第２挿通口１０９Ｂを介して導出される第２電線群１１１Ｂは、例えば、車両室内側に配索される。筐体１０１の内部から第３挿通口１０９Ｃを介して導出される第３電線群１１１Ｃは、例えば、車両後方側に配索される。
【００１９】
なお、上記の複数の挿通口１０９、複数の電線群１１１等において、「第１、第２、第３」の関係は、便宜的に設定しているものであり、上記に限られない。
【００２０】
また、本実施形態の第１挿通口１０９Ａ、第２挿通口１０９Ｂ、及び、第３挿通口１０９Ｃは、略円筒形状に形成されており、その形状の一部分が筐体１０１の側壁から外側に突出するように、筐体１０１と一体的に形成されている。第１電線群１１１Ａ、第２電線群１１１Ｂ、及び、第３電線群１１１Ｃは、各挿通口１０９の中空部に挿通されている。そして、本実施形態では、図２，３に示すように、これらの複数の挿通口１０９のうちの第１挿通口１０９Ａにおいて、第１挿通口１０９Ａの外側端部から第１挿通口１０９Ａの内周形状の一部に沿って延在するように、板状の保持部１１２が外側に突出して設けられている。
【００２１】
図２，３に示すように、保持部１１２は、その延在方向視において（保持部１１２が筐体１０１の外側へ突出する方向、または、第１挿通口１０９Ａの貫通方向から視たとき）、半円弧状に形成されている。保持部１１２は、第１挿通口１０９Ａの中空部の円筒形状の内周面をその貫通方向に沿って二分割したものと同等の曲面である内周面１１２ａを有する。保持部１１２は、第１電線群１１１Ａが第１開口部１０９Ａに挿通された状態で、内周面１１２ａによって第１電線群１１１Ａの外周の一部と当接するように設けられている。この保持部１１２は、第１電線群１１１Ａが第１挿通口１０９Ａに挿通されて保持部１１２と当接した状態で、結束バンド１０（線状部材）を保持部１１２及び第１電線群１１１Ａの外周に巻回することで（図７〜１０参照）、第１電線群１１１Ａを電気接続箱１００に固定するために利用されるものである。結束バンド１０による固定手法の詳細については、図７〜１０を参照して後述するが、結束バンド１０は、保持部１１２の周方向（（第１挿通口１０９Ａに挿通される第１電線群１１１Ａの軸心周りの方向）に沿って巻回される。
【００２２】
また、保持部１１２の内周面１１２ａには、保持部１１２の周方向の一方側端部１１２ｃから周方向に沿った内周面１１２ａ上の途中位置（少なくとも保持部１１２の周方向の他方側端部１１２ｄよりは一方側端部１１２ｃ側の位置）の間に誘導溝１１３が設けられている。誘導溝１１３の深さは保持部１１２の板厚より大きくとられている。つまり、誘導溝１１３が内周面１１２ａに設けられることによって、その外周面１１２ｂ側は誘導溝１１３の形状に沿って外側に突出された外周側突出部１１５が形成されている。また、この誘導溝１１３は、保持部１１２の一方側端部１１２ｃの縁端まで設けられており、保持部１１２の一方側端部１１２ｃの端面は、誘導溝１１３に沿った凹形状を有するように形成されている。また、一方側端部１１２ｃと反対側の誘導溝１１３の端面には、保持部１１２の外周面１１２ｂの接線方向に沿って開口される貫通孔１１４が設けられている。貫通孔１１４は、保持部１１２の内周面１１２ａと外周面１１２ｂとを貫通して設けられている。言い換えると、貫通孔１１４は、結束バンド１０を挿通して誘導溝１１３が設けられる内周面１１２ａ側から外周面１１２ｂ側に遷移させるものである。誘導溝１１３は、保持部１１２の周方向の一方側端部１１２ｃから、結束バンド１０の巻回方向に沿って、他方側端部１１２ｄへ進んだときの保持部１１２の途中位置（貫通孔１１４が設けられる位置）までの間に設けられている。このような誘導溝１１３の構成により、結束バンド１０を保持部１１２の一方側端部１１２ｃからこの誘導溝１１３に沿って進入させた場合、結束バンド１０の先端部を、まずは内周面１１２ａ側の誘導溝１１３に沿って進行させ、誘導溝１１３の端面にて、進行方向を変えることなく貫通孔１１４を通過して外周面１１２ｂ側に進出させることができる。誘導溝１１３は、結束バンド１０による第１電線群１１１Ａの固定を行う際に、結束バンド１０を保持部１１２の一方側端部１１２ｃから所望の巻回方向（第１電線群１１１Ａの周方向）に好適に誘導させることができる。
【００２３】
そして、本実施形態に係る電気接続箱の電線固定用治具１（図４〜６参照）は、図１〜３に示す電気接続箱１００において、このような保持部１１２と第１電線群１１１Ａとを固定する作業の際に利用されるものである。図４〜７を参照して、本実施形態に係る電気接続箱の電線固定用治具１（以下では単に「電線固定用治具１」とも表記する）の構成を説明する。図４は、本実施形態に係る電気接続箱の電線固定用治具に電気接続箱の保持部を載置した状態を、第１挿通孔の貫通方向から視たときの図である。図５は、図４のＸ１矢視図である。図６は、図４，５に示す本実施形態に係る電気接続箱の電線固定用治具の概略構成を示す斜視図である。図７は、本実施形態に係る電線固定用治具に電気接続箱及び電線群を載置した状態を示す模式図である。図７は、図５のＡ−Ａ断面視を示している。なお、図４〜７に示す本実施形態の電線固定用治具１は、電気接続箱１００の全体が支持される治具の一部として構成されてもよい。
【００２４】
図４，５に示すように、第１挿通口１０９Ａに挿通された第１電線群１１１Ａを保持部１１２に固定するときには、第１電線群１１１Ａが保持部１１２と当接した状態で、保持部１１２が鉛直方向下側となるように電線固定用治具１に載置される。つまり、第１電線群１１１Ａと保持部１１２との固定作業の際には、電気接続箱１００の筐体１０１は、車両等への設置時と天地を逆転して電線固定用治具１に載置される。図６に示すように、電線固定用治具１の上面２には、このとき保持部１１２を載置するための載置面３が設けられている。載置面３は、保持部１１２の外周形状に沿った半円弧状の曲面で形成されている。
【００２５】
さらに、電線固定用治具１には、保持部１１２が載置面３上の所定位置に載置されたときの保持部１１２の延在方向（以下では「保持部延在方向」とも表記する）と直交する、上面２の幅方向に沿って、載置面３に掘り下げて設けられた溝部４を備えている。なお、保持部延在方向は、保持部１１２が載置面３上の所定位置に載置されたときの第１挿通部１０９Ａの開口方向とも言い換えることができる。溝部４の延在方向の幅は、結束バンド１０の幅より大きく取られ、図７に示すように、溝部４に沿って結束バンド１０を挿通可能とされている。
【００２６】
溝部４の底面４ａは、保持部延在方向から視たときに、保持部１１２の形状に沿った半円弧状の曲面で形成される。溝部４は、載置面３上の所定位置に保持部１１２の外周面１１２ｂが載置面３と当接するよう載置された状態で、保持部１１２の外周面１１２ｂとの組み合わせによって、結束バンド１０を幅方向一方側の進入側端部４ｂに設けられる進入口６ａから進入して、幅方向他方側の進出側端部４ｃに設けられる進出口６ｂから進出させる誘導通路６を構成するよう形成される。
【００２７】
また、溝部４の底面４ａは、誘導通路６の進出側として機能する側の進出側端部４ｃにおいて、曲面の接線方向が結束バンド１０の所望の進出方向と同様の方向となるよう形成される。本実施形態では、誘導通路６の進出側として機能する側の溝部４の進出側端部４ｃにおいて、結束バンド１０の進出方向が鉛直方向上側となるよう、底面４ａの曲面の接線方向が形成されている。また、本実施形態では、誘導通路６の進入側として機能する側の溝部４の進入側端部４ｂにおいて、結束バンド１０の進入方向が鉛直方向下側となるよう、底面４ａの曲面の接線方向が形成されている。言い換えると、本実施形態では、溝部４の底面４ａは、保持部延在方向から視たときに、誘導通路６の進出側として機能する側の溝部４の進出側端部４ｃにおける底面４ａの接線方向が、誘導通路６の進入側として機能する側の溝部４の進入側端部４ｂにおける底面４ａの接線方向と同方向となり、進出側端部４ｃにおける結束バンド１０の進行方向が、進入側端部４ｂにおける結束バンド１０の進行方向の反対方向となるよう形成される（図９参照）。
【００２８】
なお、溝部４は、幅方向の全長が、第１電線群１１１Ａの直径と、保持部１１２の板厚の２倍長と、結束バンド１０の厚さの２倍長とを合計した長さより大きく設けられるのが好ましい。これにより、誘導通路６を構成した際に結束バンド１０を幅方向一方側の進入口６ａから幅方向他方側の進出口６ｂへ挿通しやすくできる。
【００２９】
さらに、溝部４には、図６，７に示すように、載置面３上の所定位置に電気接続箱１００の保持部１１２が載置された状態で、保持部１１２の誘導溝１１３の外周側突出部１１５を嵌合する切り欠き部５が、底面４ａに掘り下げて設けられている。切り欠き部５の掘り下げ量は、保持部１１２の板厚と同等に設定されている。すなわち、切り欠き部５に保持部１１２の外周側突出部１１５が嵌合した状態では、保持部１１２の誘導溝１１３の底面と、溝部４の底面４ａとが、貫通孔１１４にて段差なくフラットに連なるよう形成されている。図５に示すように、載置面３上の所定位置に電気接続箱１００の保持部１１２が載置された状態では、保持部１１２の外周側突出部１１５が電線固定用治具１によって完全に被覆された状態となる。つまり、外周側突出部１１５の全体が切り欠き部５に嵌合された状態となる。これにより、電気接続箱１００の保持部１１２を、電線固定用治具１に載置する際の位置決め手段として機能し、位置決めを容易に行えるように構成されている。
【００３０】
次に、図７に加えて図８〜１０を参照して、電線固定用治具１を用いた第１電線群１１１Ａの保持部１１２への固定作業（電線固定方法）について説明する。図７は、本実施形態に係る電線固定用治具を用いた第１電線群の保持部への固定作業の第一段階を示す模式図である。図８は、本実施形態に係る電線固定用治具を用いた第１電線群の保持部への固定作業の第二段階を示す模式図である。図９は、本実施形態に係る電線固定用治具を用いた第１電線群の保持部への固定作業の第三段階を示す模式図である。図１０は、本実施形態に係る電線固定用治具を用いた第１電線群の保持部への固定作業の第四段階を示す模式図である。図７〜１０は、固定作業の各段階における図５のＡ−Ａ断面視を示している。
【００３１】
まず図７に示すように、載置面３上の所定位置に電気接続箱１００の保持部１１２が載置され、保持部１１２の内周面１１２ａ側に第１電線群１１１Ａが載置された状態で、溝部４と保持部１１２の外周面１１２ｂとの組み合わせによって、溝部４の幅方向一方側の進入側端部４ｂに進入口６ａを有し、溝部４の幅方向他方側の進出側端部４ｃに進出口６ｂを有する誘導通路６が形成される（誘導通路形成ステップ）。このとき、進入口６ａから貫通孔１１４までの間では、保持部１１２の誘導溝１１３と第１電線群１１１Ａの外周との間に誘導通路６が形成され、一方、貫通孔１１４と進出口６ｂまでの間では保持部１１２の外周面１１２ｂと溝部４の底面４ａとの間に誘導通路６が形成される。
【００３２】
次に図８に示すように、上記のように形成された誘導通路６の進入口６ａから結束バンド１０が鉛直方向下側に向けて挿入される（挿入ステップ）。結束バンド１０の先端は、保持部１１２の誘導溝１１３と第１電線群１１１Ａの外周との間の誘導通路６を通り、貫通孔１１４を通過して、保持部１１２の外周面１１２ｂ側に進出する。
【００３３】
次に図９に示すように、結束バンド１０の先端は、保持部１１２の外周面１１２ｂと溝部４の底面４ａとの間の誘導通路６を通り、誘導通路６の進出口６ｂから進出される（進出ステップ）。このとき、結束バンド１０の進出方向は、鉛直方向上側となっており、鉛直方向下側であった進入方向から反転されている。この結果、結束バンド１０は、保持部１１２の一方側端部１１２ｃから貫通孔１１４までの間では、誘導溝１１３に沿って第１電線群１１１Ａの外周と接触し、保持部１１２の貫通孔１１４から他方側端部１１２ｄまでの間では、保持部１１２の外周面１１２ｂと接触して配置される。
【００３４】
そして図１０に示すように、進出口６ｂから鉛直方向上側に進出された結束バンド１０の先端部が、結束バンド１０の基端側と共に第１電線群１１１Ａの外周に巻回されて結束されることで、第１電線群１１１Ａが保持部１１２（及び電気接続箱１００）に固定される（固定ステップ）。
【００３５】
次に、本実施形態に係る電気接続箱の電線固定用治具１の効果を説明する。
【００３６】
本実施形態の電線固定用治具１は、内部に電子部品１０２を収容する筐体１０１と、電子部品１０２に接続される第１電線群１１１Ａを挿通する第１挿通口１０９Ａと、第１挿通口１０９Ａの外側端部から第１挿通口１０９Ａの内周形状の一部に沿って延在して設けられる板状の保持部１１２と、を備える電気接続箱１００において、第１電線群１１１Ａが第１挿通口１０９Ａに挿通されて保持部１１２と当接した状態で、結束バンド１０を保持部１１２及び第１電線群１１１Ａの外周に巻回して、第１電線群１１１Ａを電気接続箱１００に固定するために使用される。この電線固定用治具１は、電気接続箱１００の保持部１１２を載置する載置面３と、保持部１１２が載置面３上の所定位置に載置されたときの保持部１１２の延在方向と直交する幅方向に沿って、載置面３に掘り下げて設けられた溝部４と、を備える。溝部４は、載置面３上の所定位置に保持部１１２の外周面１１２ｂが載置面３と当接するよう載置された状態で、保持部１１２の外周面１１２ｂとの組み合わせによって、結束バンド１０を幅方向の一方側から進入して他方側に進出させる誘導通路６を構成するよう形成される。
【００３７】
この構成により、電線固定用治具１の載置面３上の所定位置に電気接続箱１００の保持部１１２を載置すれば、保持部１１２の外周面１１２ｂと溝部４との組み合わせによる誘導通路６が形成される。そして、この誘導通路６を利用して結束バンド１０を誘導通路６に挿入すれば、結束バンド１０を溝部４の幅方向の一方側の進入側端部４ｂから進入させ、他方側の進出側端部４ｃから進出させることができるので、結束バンド１０を所望の巻回方向に容易に誘導させることが可能となり、また、結束バンド１０を所望の方向に進出させることも可能となる。したがって、本実施形態の電線固定用治具１は、電気接続箱１００に第１電線群１１１Ａを固定する作業を容易にすることができる。
【００３８】
また、本実施形態の電線固定用治具１において、溝部４の底面４ａは、保持部延在方向から視たときに、保持部１１２が位置する側と反対側に凹んで形成され、誘導通路６の進出側として機能する側の進出側端部４ｃにおいて、底面４ａの接線方向が結束バンド１０の所望の進出方向と同様の方向となるよう形成される。
【００３９】
この構成により、結束バンド１０を誘導通路６内で進行させれば、誘導通路６の進出口６ｂにおいて結束バンド１０を成り行きで所望の進出方向（本実施形態では鉛直方向上側）に進出させることが可能となるので、結束バンド１０を保持部１１２に巻回する作業、及び、電気接続箱１００に第１電線群１１１Ａを固定する作業をさらに容易にすることができる。
【００４０】
また、本実施形態では、電気接続箱１００の保持部１１２が、保持部延在方向から視たときに半円弧状に形成される。保持部１１２の内周面１１２ａにおいて、周方向の一方側端部１１２ｃから、誘導通路６の延在方向に沿った途中位置まで延在する誘導溝１１３が、保持部１１２の外周面１１２ｂ側に突出して設けられている。誘導溝１１３の途中位置の端面には、保持部延在方向から視たときに、保持部１１２の外周面１１２ｂの接線方向に沿って貫通する貫通孔１１４が設けられている。本実施形態の電線固定用治具１において、溝部４の底面４ａは、保持部延在方向から視たときに、保持部１１２の形状に沿った曲面で形成され、溝部４の底面４ａに掘り下げて設けられ、載置面３上の所定位置に電気接続箱１００の保持部１１２が載置された状態で、保持部１１２の誘導溝１１３の外周側突出部１１５を嵌合する切り欠き部５を備える。
【００４１】
この構成により、電気接続箱１００の保持部１１２の外周側突出部１１５を、電線固定用治具１の溝部４に設けられた切り欠き部５に嵌合させれば、電気接続箱１００の保持部１１２を電線固定用治具１の載置面３上の所定位置に容易に位置決めして載置することができる。これにより、電気接続箱１００に第１電線群１１１Ａを固定する作業の精度を向上できる。
【００４２】
また、本実施形態の電線固定用治具１において、溝部４の底面４ａは、保持部延在方向から視たときに、誘導通路６の進出側として機能する側の進出側端部４ｃにおける底面４ａの接線方向が、誘導通路６の進入側として機能する側の進入側端部４ｂにおける底面４ａの接線方向と同方向となり、進出側端部４ｃにおける結束バンド１０の進行方向が、進入側端部４ｂにおける結束バンド１０の進行方向の反対方向となるよう形成される。このとき、溝部４の幅方向の全長が、第１電線群１１１Ａの直径と、保持部１１２の板厚の２倍長と、結束バンド１０の厚さの２倍長とを合計した長さより大きくなるように、溝部４が形成される。
【００４３】
この構成により、電線固定用治具１の載置面３上の所定位置に電気接続箱１００の保持部１１２を載置したときに、溝部４の底面４ａと保持部１１２との間に充分な間隙を確保できる。これにより、誘導通路６を構成した際に結束バンド１０を幅方向一方側の進入口６ａから他方側の進出口６ｂへ挿通しやすくできるので、結束バンド１０を保持部１１２に巻回する作業を容易にすることができる。
【００４４】
［変形例］
次に、図１１，１２を参照して、本実施形態の変形例を説明する。図１１は、電線固定用治具の溝部の形状の第一変形例を示す図である。上記実施形態では、電線固定用治具１の溝部４の底面４ａに、電気接続箱１００の保持部１１２の外周側突出部１１５を嵌合する切り欠き部５を設ける構成を例示したが、この切り欠き部５を設けなくてもよい。この場合、図１１に示すように、保持部１１２の外周側突出部１１５が溝部４の底面４ａと接触するため、保持部１１２の外周面１１２ｂは、一方側端部１１２ｃから貫通孔１１４までの間でも溝部４の底面４ａと接触しない状態となる点が上記実施形態と異なるが、結束バンド１０を挿通する誘導通路６の構成は上記実施形態と同様である。
【００４５】
図１２は、電線固定用治具の溝部の形状の第二変形例を示す図である。上記実施形態では、電線固定用治具１の溝部４の底面４ａの形状として、保持部延在方向から視たときに、保持部１１２の形状に沿った半円弧状の曲面で形成される構成を例示したが、溝部４は保持部１１２の外周面１１２ｂとの組み合わせによって、結束バンド１０を幅方向の一方側から進入して、幅方向他方側に進出させる誘導通路６を構成することができればよく、半円弧状の曲面形状に限られず、保持部１１２の形状に沿った形状でなくてもよい。底面４ａの形状は、保持部延在方向から視たときに、保持部１１２が位置する側と反対側に凹んで形成され、この底面４ａと接触する結束バンド１０の先端部を進出側端部４ｃに誘導できる形状であればよい。例えば図１２に示すように、電線固定用治具１の溝部４の底面４ａの形状をＶ字状とすることもできる。
【００４６】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００４７】
上記実施形態では、溝部４の一方側の進入側端部４ｂにおいて鉛直方向下側へ結束バンド１０を進入させたときに、結束バンド１０の進行方向を反転させて、他方側の進出側端部４ｃにおいて鉛直方向上側へ進出する構成を例示したが、結束バンド１０の進入方向または進出方向が上記以外の方向となるように溝部４の形状を構成してもよい。
【００４８】
上記実施形態では、保持部１１２の形状を、保持部１１２の延在方向視において半円弧状に形成される構成を例示したが、第１電線群１１１Ａが第１開口部１０９Ａに挿通された状態で、内周面１１２ａによって第１電線群１１１Ａの外周の一部と当接することができればよく、例えば平板形状など半円弧状以外の形状でもよい。
【００４９】
上記実施形態では、複数の挿通口１０９のうち第１挿通口１０９Ａのみに保持部１１２を備える構成を例示したが、第１挿通口１０９Ａ以外の他の挿通口（第２挿通口１０９Ｂ、及び、第３挿通口１０９Ｃ）に保持部を設けてもよい。この場合、治具は、第２挿通口１０９Ｂ、及び、第３挿通口１０９Ｃの寸法に合わせて設けることができる。
【００５０】
上記実施形態では、第１電線群１１１Ａと保持部１１２とを結束バンド１０により巻き回す構成を例示したが、第１電線群１１１Ａと保持部１１２とを一体的に纏めることができ、かつ、先端を誘導通路６に沿って進入することで他方側から進出することができるものであればよく、結束バンド１０以外の線状部材を用いてもよい。
【符号の説明】
【００５１】
１  電線固定用治具
３  載置面
４  溝部
４ａ  溝部の底面
４ｂ  進入側端部
４ｃ  進出側端部
５  切り欠き部
６  誘導通路
１０  結束バンド（線状部材）
１００  電気接続箱
１０２  電子部品
１０９Ａ  第１挿通口（挿通口）
１１１Ａ  第１電線群（電線群）
１１２  保持部
１１２ａ  保持部の内周面
１１２ｂ  保持部の外周面
１１２ｃ  保持部の周方向の一方側端部
１１２ｄ  保持部の周方向の他方側端部
１１３  誘導溝
１１４  貫通孔
１１５  外周側突出部
【図１】
2015233354.tif 000003
【図２】
2015233354.tif 000004
【図３】
2015233354.tif 000005
【図４】
2015233354.tif 000006
【図５】
2015233354.tif 000007
【図６】
2015233354.tif 000008
【図７】
2015233354.tif 000009
【図８】
2015233354.tif 000010
【図９】
2015233354.tif 000011
【図１０】
2015233354.tif 000012
【図１１】
2015233354.tif 000013
【図１２】
2015233354.tif 000014